(57)【要約】【課題】タイトル選択画面の作成と記録を省略し、光ディスクへのコンテンツの記録が終了してから光ディスクのエジェクトが可能になるまでの時間を短縮させた光ディスク装置を提供する【解決手段】制御部４は、ダミー画面３００とＦＰ＿ＰＧＣの情報とをＶＲフォーマット等に基づいて作成する。ここで作成されるＦＰ＿ＰＧＣの情報には、光ディスク装置１に光ディスク１００がマウントされた時に、タイトル選択画面２００の表示を省略してコンテンツの再生を開始する動作手順が示される。次に、制御部４は、ＦＰ＿ＰＧＣの情報とダミー画面３００とを光ディスク１００に記録する。ここでは、ダミー画面３００に置換えてタイトル選択画面２００の作成と記録を禁止している。そして、ＦＰ＿ＰＧＣの情報を記録することにより、再生時において、タイトル選択画面２００の表示を省略してコンテンツの再生を開始するようにしている。【選択図】  図５
2008186526.tif 000002
【特許請求の範囲】
【請求項１】
装置本体にセットされている書換型ＤＶＤにピックアップヘッドからレーザ光を照射し、そのＤＶＤにコンテンツをタイトル毎に記録する作成記録手段であって、前記ＤＶＤに記録されているタイトルの選択を該コンテンツの再生開始前に要求するタイトル選択画面を、前記コンテンツの記録終了時に作成して記録する作成記録手段を備えたＤＶＤレコーダにおいて、
前記装置本体にセットされているＤＶＤへの前記タイトル選択画面の作成と記録を指示するための操作手段を備え、
前記作成記録手段は、
（１）前記装置本体に前記ＤＶＤがマウントされた時に前記タイトル選択画面の表示を省略して前記コンテンツの再生を開始する動作手順を示すＦＰ＿ＰＧＣ情報を、ＶＲフォーマットに基づいて作成し、前記コンテンツの記録終了時、前記タイトル選択画面の作成と記録を禁止し、代わりに、作成した前記ＦＰ＿ＰＧＣ情報を前記ＤＶＤに記録し、
（２）前記操作手段において前記タイトル選択画面の記録が指示されると、前記ＤＶＤに記録されている内容から前記タイトル選択画面を作成し、そのタイトル選択画面を前記ＤＶＤに記録するＤＶＤレコーダ。
【請求項２】
装置本体にセットされている光ディスクにピックアップヘッドからレーザ光を照射し、その光ディスクにコンテンツをタイトル毎に記録する作成記録手段であって、前記光ディスクに記録されているタイトルの選択を該コンテンツの再生開始前に要求するタイトル選択画面を、前記コンテンツの記録終了時に作成して記録する作成記録手段を備えた光ディスク装置において、
前記作成記録手段は、
前記装置本体に前記光ディスクがマウントされた時に前記タイトル選択画面の表示を省略して前記コンテンツの再生を開始する動作手順を示す動作手順情報を、所定のフォーマットに基づいて作成し、
前記コンテンツの記録終了時、前記タイトル選択画面の作成と記録を禁止し、代わりに、作成した前記動作手順情報を前記光ディスクに記録する光ディスク装置。
【請求項３】
前記装置本体に光ディスクがマウントされた時、その光ディスクに前記作成記録手段によって記録された前記動作手順情報に従って、前記タイトル選択画面の表示を省略してその光ディスクに記録されているコンテンツの再生を開始する再生手段を備える請求項２に記載の光ディスク装置。
【請求項４】
前記装置本体にセットされている光ディスクへの前記タイトル選択画面の作成と記録を指示するための操作手段を備え、
前記作成記録手段は、
前記操作手段において前記タイトル選択画面の記録が指示されると、前記光ディスクに記録されている内容から前記タイトル選択画面を作成し、
作成した前記タイトル選択画面を前記光ディスクに記録する請求項２又は３に記載の光ディスク装置。
【発明の詳細な説明】
【技術分野】
【０００１】
本発明は、光ディスクにコンテンツをタイトル毎に記録する光ディスク装置に関し、特に、光ディスクに記録されているタイトルの選択を、そのコンテンツの再生前に要求するタイトル選択画面も記録する光ディスク装置に関するものである。
【背景技術】
【０００２】
従来、ＣＤ、ＤＶＤ等の光ディスクに対し、コンテンツをタイトル毎に記録する光ディスク装置が実用化され、一般に普及している。この記録形式として、例えばＤＶＤ−ＶＩＤＥＯフォーマット、ＶＲフォーマットがあげられる。
【０００３】
このような従来の光ディスク装置では、コンテンツの記録が終了すると、タイトル選択画面も光ディスクに記録する。タイトル選択画面とは、光ディスクに記録されているタイトルの選択を、そのコンテンツの再生開始前に要求する画面である。
【０００４】
一方、その光ディスクの再生を開始する際、光ディスク装置は、再生を開始する前に、光ディスクからタイトル選択画面を読取って、自装置に接続されているテレビジョンに表示する。ユーザは、そのタイトル選択画面がテレビジョンに表示された状態で、所望のタイトルを選択する。
【０００５】
そして、ユーザによって所望のタイトルが選択されると、光ディスク装置は、選択されたタイトルの再生を開始する。これにより、選択されたタイトルのコンテンツが再生され、ユーザは、自分が選択したタイトルのコンテンツをテレビジョンで視聴できる。
一方、特許文献１では、情報記録装置が提案されている。
【特許文献１】特開２００３−１５３１４０公報
【発明の開示】
【発明が解決しようとする課題】
【０００６】
しかしながら、コンテンツの記録が終了する場面において、タイトル選択画面は、光ディスクに記録されている各タイトルに含まれる情報を１つ１つ読取って作成しなければならない。この情報は、例えば静止画像、動画像である。そのため、従来の光ディスク装置はタイトル選択画面の作成に多大な時間を要していた。また、作成したタイトル選択画面の記録にも多大な時間を要していた。
よって、光ディスクへのコンテンツの記録が終了してから、タイトル選択画面の作成と記録が完了して光ディスクのエジェクトが可能になるまでの間、ユーザは待たなければならなかった。従って、従来の光ディスク装置は、ユーザの使い勝手が悪かった。
【０００７】
本発明はこのような従来の課題を解決しようとするものであり、タイトル選択画面の作成と記録を省略し、光ディスクへのコンテンツの記録が終了してから光ディスクのエジェクトが可能になるまでの時間を短縮させた光ディスク装置を提供することを目的とする。
【課題を解決するための手段】
【０００８】
本発明の光ディスク装置は、前記課題を解決するために以下の構成を備えている。
【０００９】
（１）装置本体にセットされている光ディスクにピックアップヘッドからレーザ光を照射し、その光ディスクにコンテンツをタイトル毎に記録する作成記録手段であって、前記光ディスクに記録されているタイトルの選択を該コンテンツの再生開始前に要求するタイトル選択画面を、前記コンテンツの記録終了時に作成して記録する作成記録手段を備えた光ディスク装置において、
前記作成記録手段は、
前記装置本体に前記光ディスクがマウントされた時に前記タイトル選択画面の表示を省略して前記コンテンツの再生を開始する動作手順を示す動作手順情報を、所定のフォーマットに基づいて作成し、
前記コンテンツの記録終了時、前記タイトル選択画面の作成と記録を禁止し、代わりに、作成した前記動作手順情報を前記光ディスクに記録する。
【００１０】
この構成において、上記所定のフォーマットは、例えばＤＶＤ−ＶＩＤＥＯフォーマット、ＶＲフォーマットである。動作手順情報は、ＦＰ＿ＰＧＣ（First Play ProGram Chain）の情報である。
ここで、光ディスクにコンテンツ（ＴＶ番組など）を記録する第１の場面と、光ディスクに記録されているコンテンツを再生する第２の場面と、に分けて説明する。
この構成では、第１の場面を想定している。
まず、作成記録手段は、コンテンツの記録が終了する時、タイトル選択画面の作成と記録を禁止している。そのため、従来の光ディスク装置がタイトル選択画面の作成と記録に要していた多大な時間を、この構成によって無くすることができる。
また、作成記録手段は、上記の動作手順情報を光ディスクに記録している。そして、動作手順情報が記録された光ディスクは、上記第2の場面で使用される。詳述すると、動作手順情報を記憶した光ディスクが、上記所定のフォーマットに対応している光ディスク装置にセットされた場合、その光ディスク装置は、光ディスクから動作手順情報を読み取り、動作手順情報に従って動作を行う。そのため、その光ディスク装置は、タイトル選択画面の部分を飛ばしてコンテンツの部分から再生する。よって、タイトル選択画面を光ディスクに記録していなくとも、タイトルが選択できないことによってコンテンツを再生できないといった問題が発生しない。
以上より、光ディスクへのコンテンツの記録が終了してから、光ディスクのエジェクトが可能になるまでの間の時間が大幅に短縮される。即ち、ユーザを待たせる時間が大幅に短縮される。従って、光ディスク装置では、ユーザの使い勝手が向上される。
【００１１】
（２）前記装置本体に光ディスクがマウントされた時、その光ディスクに前記作成記録手段によって記録された前記動作手順情報に従って、前記タイトル選択画面の表示を省略してその光ディスクに記録されているコンテンツの再生を開始する再生手段を備える。
【００１２】
この構成では、第２の場面を想定している。
上記（１）で作られた光ディスクが光ディスク装置にマウントされると、再生手段は、動作手順情報を読取る。そして、再生手段は、動作手順情報に従って動作を行う。
これにより、再生手段は、タイトル選択画面の部分を飛ばし、光ディスクのコンテンツからダイレクトに再生する。そのため、タイトルが選択できないことによってコンテンツを再生できないといった問題が発生するのを防止できる。
【００１３】
（３）前記装置本体にセットされている光ディスクへの前記タイトル選択画面の作成と記録を指示するための操作手段を備え、
前記作成記録手段は、
前記操作手段において前記タイトル選択画面の記録が指示されると、前記光ディスクに記録されている内容から前記タイトル選択画面を作成し、
作成した前記タイトル選択画面を前記光ディスクに記録する。
【００１４】
この構成により、タイトル選択画面を作成して光ディスクに記録するタイミングを、ユーザは自分の使用方法に応じて選ぶことができる。
【発明の効果】
【００１５】
この発明によれば、光ディスクへのコンテンツの記録が終了してから、光ディスクのエジェクトが可能になるまでの間の時間が大幅に短縮される。即ち、ユーザを待たせる時間が大幅に短縮される。従って、光ディスク装置では、ユーザの使い勝手が向上される。
【発明を実施するための最良の形態】
【００１６】
以下、本発明の実施形態である光ディスク装置について説明する。
【００１７】
図１は、本発明の実施形態である光ディスク装置の主要な構成を示すブロック図である。光ディスク装置１は、光ディスク装置１の各部の動作を制御する制御部４と、光ディスク１００に対しデータの記録や読取を行うピックアップヘッド２（以下、PUヘッド２と称する。）と、RFアンプなどの記録再生部３と、ユーザの操作を受け付ける操作部５と、情報を表示する表示部７と、データを記憶する記憶部６と、音声データをアナログの再生音声信号に変換するＤ／Ａコンバータ１１と、映像データをアナログの再生映像信号に変換する映像処理部１３と、デコードされた映像信号に基づく映像にＯＳＤ（On Screen Display）画像を重ね合わせた合成映像を生成するＯＳＤ処理部１２と、ＴＶ放送信号を受信してＡＶ（オーディオビジュアル）データを取得する受信部１０と、を備えている。
光ディスク装置１は、所謂ＤＶＤレコーダである。また、光ディスク１００は、記録可能な光ディスクである。光ディスク１００は、例えば、ＤＶＤ−Ｒ、ＤＶＤ＋Ｒ、ＤＶＤ−ＲＷ、ＤＶＤ＋ＲＷ、又はＤＶＤ−ＲＡＭである。ここで、ＤＶＤ−ＲＷ、ＤＶＤ＋ＲＷ、又はＤＶＤ−ＲＡＭは、書換型のＤＶＤである。
【００１８】
PUヘッド２は、レーザダイオード（ＬＤ）、コリメータレンズ、ビームスプリッタ、対物レンズ、フォトディテクタ、スレッドモータ、及びアクチュエータを備えている（いずれも不図示）。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源である。フォトディテクタは、複数の受光素子で形成されており、光ディスク１００からの反射光を検出する。
【００１９】
まず、読取時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００２０】
記録再生部３は、ＰＵヘッド２における複数の受光素子の出力に基づいてＲＦ信号を生成し、前記ＲＦ信号を増幅する。そして、記録再生部３は、前記ＲＦ信号を処理してデータを取り出す。ここで、取り出される映像と音声等のデータは、例えばＭＰＥＧでエンコードされている。そして、記録再生部３は、映像と音声等のデータをデコードする。最後に、記録再生部３は、音声データをＤ／Ａコンバータ１１に、映像データをＯＳＤ処理部１２に、両データの同期を取りながら、それぞれ出力する。
【００２１】
Ｄ／Ａコンバータ１１は、伸長された音声データをアナログの再生音声信号に変換し、その再生音声信号を外部のテレビジョン１０１に出力する。
【００２２】
ＯＳＤ処理部１２は、不図示の画像メモリを内臓する。この画像メモリは、ＯＳＤ画像を示すＯＳＤ用データを格納するメモリである。
ＯＳＤ処理部１２は、制御部４から伝送される制御信号に基づいて、映像データをスルーして直接出力する場合と、映像データに基づく映像にＯＳＤ画像を重ね合わせた合成映像を生成してその合成映像データを出力する場合と、ＯＳＤ画像だけのＯＳＤ画像データを出力する場合と、で動作を切り替える。ＯＳＤ画像だけのＯＳＤ画像データを出力する場合だけは、再生していない時の動作となる。
【００２３】
映像処理部１３は、入力された映像データ、ＯＳＤ画像データまたは合成映像データをアナログの再生映像信号に変換し、外部のテレビジョン１０１に出力する。
【００２４】
Ｄ／Ａコンバータ１１及び映像処理部１３には、スピーカ内臓のテレビジョン１０１が接続されている。ユーザは、このテレビジョン１０１において、Ｄ／Ａコンバータ１１及び映像処理部１３から出力された映像信号に基づく映像、及び音声信号に基づく音声を視聴することができる。
【００２５】
次に、記録時の動作について説明する。
受信部１０は、例えばチューナである。受信部１０は、ＴＶ放送等を受信するアンテナから選択されているチャンネルのＴＶ放送信号を抽出して、Ａ／Ｄ変換してディジタル化し、出力する。
【００２６】
そして、記録再生部３は、入力されたデータを（例えば、ＭＰＥＧで）エンコードし、ディジタル信号をＰＵヘッド２に出力する。
【００２７】
そして、ＰＵヘッド２は、記録再生部３からディジタル信号が入力されると、このディジタル信号に応じて記録パワーのレーザ光を制御し、光ディスク１００の記録面に照射する。これにより、ＴＶ番組などのコンテンツが、光ディスク１００に記録される。
なお、記録時においても上記ＯＳＤ表示を行う。
【００２８】
操作部５は、ユーザが光ディスク装置１に対して各種の命令（コマンド）を入力するためのものであり、複数のキーが設けられている。光ディスク装置１に対してユーザが入力したコマンドは、操作部５から制御部４に伝送される。
上記複数のキーの中には、所望のオブジェクト（タイトル含む）にカーソルを移動させるための方向キーと、オブジェクトの選択を受け付ける選択キーと、光ディスク１００に記録されたコンテンツの再生を指示するための再生キーと、又は光ディスク１００へのコンテンツの記録を指示するための録画キーと、が含まれる。ここで、カーソルがオブジェクトに合わせられた状態で、ユーザは、選択キーを押下する。これにより、オブジェクトが選択される。そして、ユーザが再生キーを押下すると、該選択されたオブジェクトが再生される。
【００２９】
記憶部６は、例えばＥＥＰＲＯＭで構成されている。記憶部６は、光ディスク装置１の主制御プログラムを記憶する。
【００３０】
表示部７は、例えばLCD（Liquid Crystal Display）で構成される。表示部７は、時刻、光ディスク装置１の設定状態などを表示する。
【００３１】
制御部４は、例えばマイクロコンピュータで構成されている。さらに、上記主制御プログラムで処理されるデータを展開するためのワークフィールドとしてのＲＡＭを内臓する。制御部４は、光ディスク装置１にユーザから入力された命令に応じて光ディスク装置１の各部の動作を制御する。
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っている。しかし、本発明の実施形態では図示を省略している。
【００３２】
ここで、ＰＵヘッド２、記録再生部３、映像処理部１３、Ｄ／Ａコンバータ１１および制御部４が、本発明の「再生手段」に相当する。また、ＰＵヘッド２、記録再生部３および制御部４が、本発明の「作成記録手段」に相当する。また、表示部７又はテレビジョン１０１が、「表示手段」に相当する。
【００３３】
図２は、本発明の実施形態である光ディスク装置にセットされる光ディスクの記録領域を示す図である。光ディスク１００の記録領域は、その内周から外周にかけてＰＣＡ９０、ＲＭＡ９１、リードイン領域９２、データ領域９３、リードアウト領域９４に分けられている。
【００３４】
ＰＣＡ９０は、レーザパワーの校正が行われる領域である。
ＲＭＡ９１は、光ディスク装置１にとって必要な記録管理情報が記録されている領域である。
【００３５】
リードイン領域９２は、光ディスク１００上のデータ領域９３に記録されているデータのＴＯＣデータが記録されている領域である。このＴＯＣデータには、保存されたデータがファイナライズされているかどうかの情報、データが保存された日付、保存されたデータの光ディスク上のアドレス情報などが含まれている。
データ領域９３は、保存されたデータが記録されている領域である。
リードアウト領域９４は、保存されたデータがファイナライズされた場合に作成される領域である。このファイナライズとは、他の光ディスク装置と互換性を持つようにするために記録情報を整えるためのプロセスである。ファイナライズを行うことにより、他の光ディスク装置においても光ディスク１００の再生が可能となる。
【００３６】
図３は、ＤＶＤ−Ｖideoフォーマットで記録された光ディスク上のデータのデータ構造を示す図である。ＤＶＤ−Ｖideoフォーマットで記録された光ディスク１００上には、図３Ａに示すように、その内周から外周にかけてVMGI９５、VMGM_VOBS９６、VMGIbup９７、タイトルＴ１〜Ｔ３が記録されている。
VMGI(Video  Manager  Information)９５には、ＤＶＤ−Ｖideo全体の再生関連情報（制御情報）、いわゆるルートメニューの情報が記述されている。例えば、ＶＴＳＩのアドレス情報等もここに記述されている。また、VMGI９５には、VMGM_VOBS９６に含まれるコンテンツの動作手順を示すＦＰ＿ＰＧＣ（First Play ProGram Chain）の情報も記述されている。
なお、ＦＰ＿ＰＧＣの情報が、本発明の「動作手順情報」に相当する。
【００３７】
VMGM_VOBS(Video  Object  Set  for  VMG  Menu)９６には、ＶＯＢＳ１００３に記述されているコンテンツの再生に先立って再生されるコンテンツが記述されている。このコンテンツには、後述の図５で示されるタイトル選択画面２００が含まれる。タイトル選択画面とは、光ディスク１００に記録されているタイトルの選択を、そのコンテンツの再生開始前に要求する画面である。
VMGIbup９７は、VMGI９５のバックアップファイルである。
また、タイトルＴ１は、ＶＴＳＩ（Ｖideo  Ｔitle  Ｓet  Ｉnformation）１００２とＶＯＢＳ（Ｖideo  Ｏbject  Ｓet）１００３とＶＴＳＩbup１００４とから構成されている（図３Ａ参照）。タイトルＴ２、Ｔ３も、タイトルＴ１と同様のデータ構造となっている。ＤＶＤ−Ｖideoフォーマットでは、最大９９タイトルまで収録が可能である。図３Ａでは、３タイトル収録されている。
【００３８】
ＶＴＳＩ１００２には、そのＶＴＳに対する制御情報が記述されている。
ＶＯＢＳ１００３には、タイトル再生のためのコンテンツ（ＴＶ番組など）が記述されている。該ＶＯＢＳ１００３には、図３Ｂに示すように、複数のセル１０１０〜１０１９から構成されている。
なお、ＶＯＢＳとＶＴＳとは、同じものを表す。
ＶＴＳＩbup１００４には、ＶＴＳＩ１００２のバックアップファイルが記述されている。
ＤＶＤ−Ｖideoフォーマットにおいて、データは、予め決められたセル単位で記録される。
セル１０１０は、複数のＶＯＢＵ（Ｖideo  Ｏbject  Ｕnit）１０２０〜１０２９で構成される（図３Ｃ参照）。１タイトルのセルの最大数は２５５セルである。そのため、光ディスクに１０時間分のデータを記録する場合、１セルは、例えば２分３０秒である。
ＶＯＢＵ１０２０には、先頭にＮＶ＿ＰＣＫ（Ｎavigatyion  Ｐack）１０３０が置かれ、続いてビデオデータやオーディオデータ（ＡＶデータ）などがパック化されて挿入される（図３D参照）。
【００３９】
図４は、ＶＲ（Video Recording）フォーマットで記録された光ディスク上のデータのデータ構造を示す図である。ＶＲフォーマットで記録された光ディスク１００上のデータのデータ構造は、ＤＶＤ−Ｖideoフォーマットで記録された光ディスク１００上のデータのデータ構造（図３A参照）と比べ、図４に示すように、VMGI９５、VMGM_VOBS９６、及びVMGIbup９７の配置に関して共通している。
しかし、図３A及び図４に示すように、タイトルの配置に関しては異なっている。図３Aでは、「ＶＴＳＩ、ＶＯＢＳ、及びＶＴＳＩbup」がセットになっているのに対し、図４では、セットになっていない。図４では、「ＶＴＳＩ、ＶＯＢＳ、及びＶＴＳＩbup」はそれぞれ分離されて配置されている。
なお、ＶＲフォーマットにおいて、セル１０１０〜１０１９、ＶＯＢＵ１０２０〜１０２９、ＮＶ＿ＰＣＫ１０３０及びビデオ／オーディオパック１０３１は、図示していないが、ＤＶＤ−Ｖideoフォーマットで記録された光ディスク１００上のデータのデータ構造（図３Ａ参照）と同様の構造で存在している。
【００４０】
ここで、光ディスク１００にコンテンツ（ＴＶ番組など）を記録する第１の場面と、光ディスク１００に記録されているコンテンツを再生する第２の場面と、に分けて説明する。
【００４１】
図５は、タイトル選択画面の表示の一例を示す図である。タイトル選択画面２００は、タイトルＴ１とタイトルＴ１中の先頭画像１２１とが表示される領域と、タイトルＴ２とタイトルＴ２中の先頭画像１２２とが表示される領域と、タイトルＴ３とタイトルＴ３中の先頭画像１２３とが表示される領域と、から構成される。
【００４２】
従来の光ディスク装置では、第２の場面においてコンテンツの記録が終了すると、図５に示すタイトル選択画面２００も光ディスク１００のＶＭＧＭ＿ＶＯＢＳ９６に記録される。タイトル選択画面２００とは、光ディスク１００に記録されているタイトルの選択を、そのコンテンツの再生開始前に要求する画面である。
【００４３】
一方、その光ディスク１００の再生が開始される際、従来の光ディスク装置は、再生を開始する前に、光ディスク１００のＶＭＧ９６からタイトル選択画面２００をＰＵヘッド２に読取らせて、表示部７又はテレビジョン１０１に表示する。ユーザは、タイトル選択画面２００が表示された状態で、所望のタイトルを選択して再生する。詳述すると、タイトルＴ１を示しているボックスにカーソル１１１を方向キーで移動させ、ユーザが選択キーを押下すると、タイトルの選択が完了する。
そして、再生キーが押下されると、制御部４は、選択されたタイトルの再生を開始する。これにより、ＰＵヘッド２は、例えばタイトルＴ１のコンテンツを読取る。この結果、タイトルＴ１のコンテンツが再生され、ユーザは、タイトルＴ１のコンテンツをテレビジョン１０１で視聴する。
【００４４】
しかしながら、上記の第１の場面において、タイトル選択画面２００は、光ディスク１００に記録されている各タイトルに含まれる情報を１つ１つ読取って作成しなければならない。この情報は、例えば静止画像、動画像である。そのため、タイトル選択画面２００の作成に多大な時間を要していた。また、作成したタイトル選択画面２００の記録にも多大な時間を要していた。特に、この情報が画像データである場合データ量が大きいため、一層の時間を要する。よって、光ディスク１００へのコンテンツの記録が終了してからタイトル選択画面２００の作成と記録が完了して光ディスク１００のエジェクトが可能になるまでの間、ユーザを待たせていた。
そこで、この実施形態では、光ディスク１００へのコンテンツの記録が終了してから光ディスク１００のエジェクトが可能になるまでの時間を短縮させるため、以下のようにした。
【００４５】
まず、第１の場面について説明する。
図６は、本発明の実施形態である光ディスク装置において制御部がコンテンツの記録終了時に行う動作を示すフローチャートである。ユーザが上記録画キーを押下することにより、光ディスク装置１は光ディスク１００にＴＶ番組などのコンテンツをタイトル毎に記録していく（図３及び図４参照）。そして、制御部４は、光ディスク１００に対するコンテンツの記録が終了する際、図６に示す記録終了処理を実行する。
【００４６】
光ディスク１００に対するコンテンツの記録が終了すると、制御部４は、入力されたデータのエンコードを停止するよう記録再生部３に指示する（Ｓ１）。
【００４７】
さらに、制御部４は、現在記録中のＶＯＢＳの記録をＰＵヘッド２に終了させる（Ｓ２）。
【００４８】
そして、制御部４は、記録を終了したＶＯＢＳの制御情報であるＶＴＳＩをＰＵヘッド２に記録させる（Ｓ３）。
【００４９】
制御部４は、図７に示すようなダミー画面３００をＤＶＤ−ＶＩＤＥＯフォーマット又はＶＲフォーマットに基づいて作成する（Ｓ４）。
図７は、ダミー画面の表示の一例を示す図である。ダミー画面３００は、データ量が少なく、且つ任意の一色で構成される画面である。
なお、この図７は、第２の場面で、仮にVMGM_VOBS９６を再生した場合にテレビジョン１０１で表示される画面を示した図である。
【００５０】
そして、制御部４は、ＦＰ＿ＰＧＣの情報をＤＶＤ−ＶＩＤＥＯフォーマット又はＶＲフォーマットに基づいて作成する（Ｓ５）。ここで作成されるＦＰ＿ＰＧＣの情報には、光ディスク装置１に光ディスク１００がマウントされた時に、タイトル選択画面２００の表示を省略してコンテンツの再生を開始する動作手順が示される。そして、この実施形態では、タイトルＴ１のコンテンツを再生する旨をＦＰ＿ＰＧＣの情報に記述しておく。
【００５１】
制御部４は、ＶＭＧを光ディスク１００に記録する（Ｓ６）。具体的には、制御部４は、ＦＰ＿ＰＧＣの情報を含むVMGI９５、ダミー画面３００を含むVMGM_VOBS９６、及びVMGIbup９７を光ディスク１００に記録するようＰＵヘッド２に指示する。
【００５２】
Ｓ４〜Ｓ６では、タイトル選択画面２００の代わりにダミー画面３００を作成して記録することにより、タイトル選択画面２００の作成と記録を禁止している。また、Ｓ５及びＳ６では、ＦＰ＿ＰＧＣの情報を作成して記録することにより、第２の場面において、タイトル選択画面２００の表示を省略してコンテンツの再生を開始するようにしている。即ち、タイトル選択画面２００を作成していないので、マウント時にコンテンツを先ず再生して、ダミー画面３００が表示されるのを防止している。
【００５３】
最後に、制御部４は、光ディスク１００のファイルシステムを構築して光ディスク１００に記録し（Ｓ７）、本処理を終了する。Ｓ７の後、光ディスク１００は、エジェクトが可能になる。ファイルシステムは、例えばＵＤＦ（ユニバーサルディスクフォーマット）である。
【００５４】
次に、第２の場面について説明する。
図８は、本発明の実施形態である光ディスク装置において制御部が光ディスクのマウント時に行う動作を示すフローチャートである。この動作は、ＤＶＤの規格で定められる所定のフォーマットに対応している光ディスク装置の動作である。その所定のフォーマットとして、例えばＤＶＤ−ＶＩＤＥＯフォーマット、ＶＲフォーマットがあげられる。即ち、光ディスク装置１以外の他の光ディスク装置も、その所定のフォーマットに対応している限り、ＦＰ＿ＰＧＣの情報を読み取り、ＦＰ＿ＰＧＣの情報に従って動作を行う。また、マウント時とは、光ディスク装置１に光ディスクがセットされた時、ユーザが再生キーによって光ディスクの再生を指示した時である。
【００５５】
光ディスク装置１に任意の光ディスクがマウントされると、制御部４は、その光ディスクのリードイン領域９２のＴＯＣデータをＰＵヘッド２に読取らせる（Ｓ１０１）。この結果、制御部４は、記録再生部３を介して、ＴＯＣデータを取得する。
なお、制御部４は、ファイルシステムに記述されている情報もＰＵヘッド２に読取らせるが本処理では省略している。
【００５６】
次に、制御部４は、ＦＰ＿ＰＧＣの情報をＰＵヘッド２に読取らせる（Ｓ１０２）。この結果、制御部４は、記録再生部３を介して、ＦＰ＿ＰＧＣの情報を取得する。
【００５７】
そして、制御部４は、ＦＰ＿ＰＧＣの情報に従って、以下のように動作する。
まず、制御部４は、タイトル選択画面の表示を省略してタイトルを再生する旨がＦＰ＿ＰＧＣの情報に記述されているかどうかを判定する（Ｓ１０３）。
【００５８】
タイトル選択画面の表示を省略してタイトルを再生する旨がＦＰ＿ＰＧＣの情報に記述されていなければ、制御部４は、ＦＰ＿ＰＧＣの情報に従って、VMGM_VOBS９６を再生し（Ｓ１０４）、本処理を終了する。この場合、タイトル選択画面が光ディスクに予め記録されているので、従来の光ディスク装置と同様にタイトル選択画面２００がテレビジョン１０１に表示される。
【００５９】
一方、タイトル選択画面の表示を省略してタイトルを再生する旨がＦＰ＿ＰＧＣの情報に記述されていれば、制御部４は、ＦＰ＿ＰＧＣの情報で指定されているタイトルに含まれるコンテンツを再生し（Ｓ１０５）、本処理を終了する。この実施形態では、タイトルＴ１のコンテンツを再生する旨をＦＰ＿ＰＧＣの情報に記述しているので、Ｓ１０５では、タイトルＴ１に含まれるコンテンツが自動的に再生される。即ち、タイトル選択画面２００の部分を飛ばし、光ディスク１００のコンテンツの部分からダイレクトに再生する。そのため、タイトルが選択できないことによって光ディスク１００のコンテンツを再生できないといった問題が発生するのを防止できる。
【００６０】
以上より、コンテンツの記録が終了する場面において、タイトル選択画面２００の作成と記録を禁止している。そのため、従来の光ディスク装置がタイトル選択画面２００の作成と記録に要していた多大な時間を、この実施形態では無くすることができる。
よって、光ディスク１００へのコンテンツの記録が終了してから、光ディスク１００のエジェクトが可能になるまでの間の時間が大幅に短縮される。即ち、ユーザを待たせる時間が大幅に短縮される。従って、光ディスク装置１では、ユーザの使い勝手が向上される。
【００６１】
また、本発明の実施形態は、以下の変形例を採用することができる。
【００６２】
この変形例では、主として、第１の場面と第２の場面以外の第３の場面を想定している。この第３の場面では、光ディスク装置１がユーザからの指示を待つ入力待ち受け状態となる。
また、この変形例では、操作部５に、装置本体にセットされている光ディスク１００へのタイトル選択画面２００の作成と記録を指示するための指示キー（不図示）を設ける。
【００６３】
図９は、本発明の実施形態の変形例である光ディスク装置において制御部が行う動作を示すフローチャートである。この動作は、ユーザがタイトル選択画面２００を光ディスク１００上に作りたいと考えて上記指示キーを押下した時の動作である。
【００６４】
指示キーにおいてタイトル選択画面２００の記録が指示されると、制御部４は、任意の光ディスクからＦＰ−ＰＧＣの情報をＰＵヘッド２に読取らせる（Ｓ２０１）。制御部４は、ＦＰ−ＰＧＣの情報を記録再生部３を介して取得する。
【００６５】
そして、制御部４は、タイトル選択画面の表示を省略してタイトルを再生する旨がそのＦＰ−ＰＧＣの情報に記述されているかどうかを判定する（Ｓ２０２）。
【００６６】
タイトル選択画面の表示を省略してタイトルを再生する旨がＦＰ−ＰＧＣの情報に記述されていなければ、制御部４は、現在セットされている光ディスクは図６でダミー画面３００が作成されていない通常の光ディスクであると判断して本処理を終了する。通常の光ディスクは、例えばＤＶＤ−ＲＯＭである。
【００６７】
タイトル選択画面の表示を省略してタイトルを再生する旨がＦＰ−ＰＧＣの情報に記述されていれば、制御部４は、光ディスク１００に記録されている内容からタイトル選択画面２００を作成する（Ｓ２０３）。
【００６８】
制御部４は、ＦＰ−ＰＧＣの情報を再作成する（Ｓ２０４）。ＦＰ−ＰＧＣの情報には、タイトル選択画面２００を表示した後に選択されたタイトルを再生する動作手順を記述する。
【００６９】
制御部４は、ＶＭＧを光ディスク１００に記録する（Ｓ２０５）。具体的には、制御部４は、再作成したＦＰ＿ＰＧＣの情報を含むVMGI９５、作成したタイトル選択画面２００を含むVMGM_VOBS９６、及びVMGIbup９７を光ディスク１００に記録するようＰＵヘッド２に指示する。
【００７０】
最後に、制御部４は、光ディスク１００のファイルシステムを構築して光ディスク１００に記録し（Ｓ２０６）、本処理を終了する。ファイルシステムは、例えばＵＤＦである。これにより、光ディスク１００が装置本体にマウントされた時、図８のＳ１０４においてタイトル選択画面２００がテレビジョン１０１で表示される。
【００７１】
以上のように、この変形例では、タイトル選択画面２００を作成して光ディスク１００に記録するタイミングを、ユーザは自分の使用方法に応じて選ぶことができる。
なお、光ディスク１００が、ＤＶＤ−Ｒ、ＤＶＤ＋Ｒなどの追記型光ディスクであれば、制御部４は、ファイナライズ時にタイトル選択画面２００をＰＵヘッド２に記録させる。
【図面の簡単な説明】
【００７２】
【図１】本発明の実施形態である光ディスク装置の主要な構成を示すブロック図
【図２】本発明の実施形態である光ディスク装置にセットされる光ディスクの記録領域を示す図
【図３】ＤＶＤ−Ｖideoフォーマットで記録された光ディスク上のデータのデータ構造を示す図
【図４】ＶＲ（Video Recording）フォーマットで記録された光ディスク上のデータのデータ構造を示す図
【図５】タイトル選択画面の表示の一例を示す図
【図６】本発明の実施形態である光ディスク装置において制御部がコンテンツの記録終了時に行う動作を示すフローチャート
【図７】ダミー画面の表示の一例を示す図
【図８】本発明の実施形態である光ディスク装置において制御部が光ディスクのマウント時に行う動作を示すフローチャート
【図９】本発明の実施形態の変形例である光ディスク装置において制御部が行う動作を示すフローチャート
【符号の説明】
【００７３】
１−光ディスク装置
２−ピックアップヘッド
３−記録再生部
４−制御部
５−操作部
６−記憶部
７−表示部
１０−受信部
１１−Ｄ／Ａコンバータ
１２−ＯＳＤ処理部
１３−映像処理部
１００−光ディスク
１０１−テレビジョン
１１１−カーソル
２００−タイトル選択画面
３００−ダミー画面
【図１】
2008186526.tif 000003
【図２】
2008186526.tif 000004
【図３】
2008186526.tif 000005
【図４】
2008186526.tif 000006
【図５】
2008186526.tif 000007
【図６】
2008186526.tif 000008
【図７】
2008186526.tif 000009
【図８】
2008186526.tif 000010
【図９】
2008186526.tif 000011